(57)【要約】      （修正有）【課題】香りによる嗅覚的な癒し効果と色彩による視覚的な癒し効果に加え、素材及び形状による触覚的な癒し効果も併せ持つ携帯用ストラップを提供する。【解決手段】色と香りを付加した複数の立体物を組み合わせて紐部分に挿通する。【選択図】図１
0003163348.tif 000002
【実用新案登録請求の範囲】
【請求項１】
色と香りを付加した複数の立体物を適宜組み合わせて紐部分に挿通した携帯用ストラップ。
【考案の詳細な説明】
【技術分野】
【０００１】  本考案は、持ち物の一部に取り付けて携帯する携帯用ストラップに関するものである。
【背景技術】
【０００２】近年「癒しブーム」は概念として定着し、科学的な研究も行われており数多くのｗｅｂサイトでその情報が公開されている。（公序良俗違反につき、不掲載）。更に、癒しを目的として、様々な製品が開発されている。その従来の製品の例には、香り・色彩・天然石などの素材の持つ癒し効果を謳ったものがある。香りには嗅ぐだけで心身に影響を及ぼす科学的な根拠があることが、近年の研究で証明されており、日本薬学会などでも発表されている（公序良俗違反につき、不掲載）。また、色彩には心理学的な効果があることが、近年の心理学・社会学・建築学等の研究によって明らかになっている。（公序良俗違反につき、不掲載）
【先行技術文献】
【特許文献】
【０００３】
【特許文献１】実用新案登録第３１４１５２４号
【特許文献２】実用新案登録第３０７９７１４号
【特許文献３】実用新案登録第３１１０９０２号
【考案の概要】
【考案が解決しようとする課題】
【０００４】特許文献１の例では、香り・色彩・従来慣習として癒しや守護の効果がされると言われている天然石という素材による癒し効果を目的としており、五感のうち嗅覚・視覚に訴えたものと言える。しかしながら、嗅覚視覚以外の五感、例えば触覚などに訴えかける要素は特に記載もされておらず、示唆も無い。【０００５】特許文献２の例では、利用者に香りの癒し効果が日常的・継続的に及ぶことを目的として携帯ストラップと言う形を採用しており、アクセサリーとしての美観も考慮されている。しかしながら、嗅覚・視覚の相乗効果という点や、嗅覚・視覚以外の五感に訴えかける要素を付加すると言う意図は特に記載もされておらず、示唆も無い。【０００６】特許文献３の例では、利用者に香りの癒し効果が日常的・継続的に及ぶことを目的として携帯ストラップと言う形を採用しており、さらに香りが状況によって自由に選択できるように取替え可能な形状を採用している。しかしながら、嗅覚・視覚の相乗効果という点や、嗅覚・視覚以外の五感に訴えかける要素を付加すると言う意図は特に記載もされておらず、示唆も無い。
【課題を解決するための手段】
【０００７】本考案は視覚を刺激する色、嗅覚を刺激する香り、触覚を刺激する感触を持つ素材及び形状の三要素を併せ持つ立体物を紐に挿通して連ねることにより、携帯用ストラップに複合的な癒し効果を付加するものである。
【考案の効果】
【０００８】発生学的に脳神経系と同じ外胚葉に由来する皮膚を経由した触覚刺激には他の五感の刺激よりも強固な生体への影響があることが発達心理学など一部の学者の間では知られているが、その重要性は一般に広く周知されているとは言い難い（公序良俗違反につき、不掲載）。この触覚への刺激という要素を視覚・嗅覚に訴えかける要素に組み合わせることによって、より複合的・相乗的な効果を持たせることが可能になる。また、身につけて頻繁に目にし、香りを感じ、かつ触れて刺激を感じることが容易である携帯用ストラップに成型することによって、より人間の五感に訴えるような複合的な癒しの効果を更に日常的かつ持続的なものにすることが期待できる。
【図面の簡単な説明】
【０００９】
【図１】本考案、携帯用ストラップの最も好ましい形状の例である。
【考案を実施するための形態】
【００１０】香りと色を付加した立体物を複数個組み合わせ、紐に挿通する。立体物の数量としては好ましくは二〜五個の間、最も好ましくは三個が適当である。数量において三個が最も好ましい理由としては、脳が一瞥して個別に認識可能な数の一般的な上限が四であるため（公序良俗違反につき、不掲載）。また、三という数は古来物体を分割する際に使われやすく、好まれやすい傾向があるため（天地人、三つ巴、三種の神器、三分クッキング、三分間スピーチなど）。
【００１１】色彩と香りは、それぞれに相乗効果の期待できる組み合わせを用いる。例として、清涼感をもたらす緑色に爽やかさのあるペパーミント、覚醒感をもたらす黄色にリフレッシュ感のあるレモン、落ち着き感をもたらす紫色にリラックス感のあるラベンダーなどが適当であるが、その他にも様々な組み合わせが考えられる。
【００１２】立体物の形状としては球体、直方体、立方体、果物や花など自然物を模った任意の立体などが考えられるが、最も好ましくは球体が適当である。球体が最も好ましい理由としては、同一の立体物を多数成型することが容易であるため。また、古来球体は完全無欠・円満・永久などの意味を持っており、見た目や感触にもやさしくまとまりが有り、形状そのものに心理的な癒し効果が期待できるため。
【００１３】立体物の素材としては羊毛フェルト、布、木、プラスチック、金属などが考えられるが、最も好ましくは羊毛フェルトが適当である。羊毛フェルトが最も好ましい理由としては、粘土のような感覚で成型が可能な素材であるため、任意の立体物が容易に作成でき、また、着香・染色も容易である点にある。更に、素材の柔らかな感触がもたらす触覚的な効果が他の素材に比して優れている点も挙げられる。
【符号の説明】
【００１４】    １．ストラップ
２．着色・着香した立体物
【図１】
0003163348.tif 000003
【手続補正書】
【提出日】平成22年7月29日(2010.7.29)
【手続補正１】
【補正対象書類名】明細書
【補正対象項目名】０００２
【補正方法】変更
【補正の内容】
【０００２】近年「癒しブーム」は概念として定着し、科学的な研究も行われており数多くの論文やｗｅｂサイトでその情報が公開されている。更に、癒しを目的として、様々な製品が開発されている。その従来の製品の例には、香り・色彩・天然石などの素材の持つ癒し効果を謳ったものがある。
香りには嗅ぐだけで心身に影響を及ぼす科学的な根拠があることが近年の研究で証明されており、日本薬学会などでも発表されている。また、色彩には心理学的な効果があることが、近年の心理学・社会学・建築学等の研究によって明らかになり、日本色彩学会などでも発表されている。
【手続補正２】
【補正対象書類名】明細書
【補正対象項目名】０００８
【補正方法】変更
【補正の内容】
【０００８】発生学的に脳神経系と同じ外胚葉に由来する皮膚を経由した触覚刺激には他の五感の刺激よりも強固な生体への影響があることが、発達心理学など一部の学者の間では知られているが、その重要性は一般に広く周知されているとは言い難い。この、触覚刺激の研究例としては、ウィスコンシン大学のハーロウによるアカゲザルの研究などが挙げられる。上記の触覚への刺激という要素を視覚・嗅覚に訴えかける要素に組み合わせることによって、より複合的・相乗的な五感への効果を持たせることが可能になる。また、身につけて頻繁に目にし、香りを感じ、かつ触れて刺激を感じることが容易である携帯用ストラップに成型することによって、より人間の五感に訴えるような複合的な癒しの効果を更に日常的かつ持続的なものにすることが期待できる。
【手続補正３】
【補正対象書類名】明細書
【補正対象項目名】００１０
【補正方法】変更
【補正の内容】
【００１０】香りと色を付加した立体物を複数個組み合わせ、紐に挿通する。立体物の数量としては好ましくは二〜五個の間、最も好ましくは三個が適当である。数量において三個が最も好ましい理由としては、脳が一瞥して個別に認識可能な数の一般的な上限が四であるため。また、三という数は古来物体を分割する際に使われやすく、好まれやすい傾向があるため（天地人、三つ巴、三種の神器、三分クッキング、三分間スピーチなど）。